(57)【要約】【課題】冷房運転時において、補助上下風向板を上壁部に当接させる従来の空気調和機では、送風ファンからの冷気が補助上下風向板の上面側にほとんど流れないので、補助上下風向板の上面において結露して水滴が付く。【解決手段】この空気調和機は、補助上下風向板の一部が第２上壁部に当接した状態（第１状態）で冷房運転が行われているときに、補助上下風向板の一部が第２上壁部に当接した状態（第１状態）となってから所定時間ｔ１が経過し（Ｓ３：Ｙｅｓ）、かつ吹出温度が所定温度以下である場合に（Ｓ４：Ｙｅｓ）、一時的に補助上下風向板を下方に回動させて、補助上下風向板が第２上壁部に当接しない状態（第２状態）に変更する（Ｓ５）。【選択図】図６
2014122736.tif 000002
【特許請求の範囲】
【請求項１】
吸込口から吹出口に至る空気流路に配置された送風ファンと、
前記吹出口の近傍において回動可能に支持された上下風向板と、
前記上下風向板の上方において回動可能に支持された補助上下風向板と、
前記補助上下風向板を制御する制御手段とを備え、
前記制御手段は、
冷房運転時において、前記補助上下風向板の一部が前記空気流路の上壁部に当接した第１状態で運転しているときに、所定のタイミングで一時的に前記補助上下風向板を回動させて、前記補助上下風向板が前記空気流路の上壁部に当接しない第２状態に変更することを特徴とする空気調和機。
【請求項２】
前記空気流路の上壁部が、前方に向かって下向きに傾斜した第１上壁部と、前記第１上壁部の前方において前記空気流路が広がるように配置された第２上壁部とを有し、
前記補助上下風向板が、前記第１上壁部を延長した面より前記第２上壁部側に配置され、
前記制御手段は、
冷房運転時において、前記補助上下風向板の一部が前記第２上壁部に当接した第１状態で運転しているときに、所定のタイミングで一時的に前記補助上下風向板を回動させて、前記補助上下風向板が前記第２上壁部に当接しない第２状態に変更することを特徴とする請求項１に記載の空気調和機。
【請求項３】
前記制御手段は、冷房運転時間に基づいて決定されたタイミングで、前記第１状態から前記第２状態に変更することを特徴とする請求項１または２に記載の空気調和機。
【請求項４】
前記制御手段は、吹出温度に基づいて決定されたタイミングで、前記第１状態から前記第２状態に変更することを特徴とする請求項１〜３のいずれか１項に記載の空気調和機。
【請求項５】
前記空気流路に配置された室内熱交換器を備え、
前記制御手段は、ファン回転数、室内熱交温度及び室内温度に基づいて決定されたタイミングで、前記第１状態から前記第２状態に変更することを特徴とする請求項４に記載の空気調和機。
【発明の詳細な説明】
【技術分野】
【０００１】
本発明は、上下風向板及び補助上下風向板が吹出口の近傍に配置された空気調和機に関するものである。
【背景技術】
【０００２】
従来の空気調和機には、吸込口から吹出口に至る空気流路に配置された送風ファンと、吹出口の近傍に配置された上下風向板と、上下風向板の上方に配置された補助上下風向板とを備えたものがある。上下風向板及び補助上下風向板は、回動可能に支持され、吹出口の長手方向に沿って延びている。また、吹出口に至る空気流路の上壁部が、前方に向かって下向きに傾斜するように設けられ、補助上下風向板が、下向きに傾斜する上壁部の近傍に配置されている。
【先行技術文献】
【特許文献】
【０００３】
【特許文献１】特開２００９−７９８４６号公報
【発明の概要】
【発明が解決しようとする課題】
【０００４】
上記の空気調和機では、補助上下風向板が、下向きに傾斜する上壁部の近傍に配置されているので、その上壁部に沿って流れる吹出空気が、補助上下風向板に衝突して風量が低下してしまう問題がある。そこで、本発明者らは、補助上下風向板を上壁部に当接させて、補助上下風向板を上壁部と略平行にすることにより、上壁部に沿って流れる吹出空気の風量を多くしている。
【０００５】
しかしながら、冷房運転時において、補助上下風向板を上壁部に当接させた場合、送風ファンからの冷気が補助上下風向板の上面側（補助上下風向板と上壁部との間）にほとんど流れないので、補助上下風向板の上面において結露して水滴が付くという問題がある。
【０００６】
そこで、本発明の目的は、冷房運転時において、補助上下風向板の上面において結露して水滴が付くことを防止できる空気調和機を提供することである。
【課題を解決するための手段】
【０００７】
第１の発明にかかる空気調和機は、吸込口から吹出口に至る空気流路に配置された送風ファンと、前記吹出口の近傍において回動可能に支持された上下風向板と、前記上下風向板の上方において回動可能に支持された補助上下風向板と、前記補助上下風向板を制御する制御手段とを備え、前記制御手段は、冷房運転時において、前記補助上下風向板の一部が前記空気流路の上壁部に当接した第１状態で運転しているときに、所定のタイミングで一時的に前記補助上下風向板を回動させて、前記補助上下風向板が前記空気流路の上壁部に当接しない第２状態に変更することを特徴とする。
【０００８】
この空気調和機では、補助上下風向板の上面側（補助上下風向板と上壁部との間）を冷気がほとんど流れない状態で冷房運転が行われているときに、所定のタイミングで一時的に、補助上下風向板の上面側（補助上下風向板と上壁部との間）を冷気が流れる状態に変更されるので、補助上下風向板の上面において結露して水滴が付くことを防止できる。
【０００９】
第２の発明にかかる空気調和機では、第１の発明にかかる空気調和機において、前記空気流路の上壁部が、前方に向かって下向きに傾斜した第１上壁部と、前記第１上壁部の前方において前記空気流路が広がるように配置された第２上壁部とを有し、前記補助上下風向板が、前記第１上壁部を延長した面より前記第２上壁部側に配置され、前記制御手段は、冷房運転時において、前記補助上下風向板の一部が前記第２上壁部に当接した第１状態で運転しているときに、所定のタイミングで一時的に前記補助上下風向板を回動させて、前記補助上下風向板が前記第２上壁部に当接しない第２状態に変更することを特徴とする。
【００１０】
この空気調和機では、空気流路の上壁部が、前方に向かって下向きに傾斜した第１上壁部と、第１上壁部の前方において空気流路が広がるように配置された第２上壁部とを有する場合において、補助上下風向板の上面において結露して水滴が付くことを防止できる。また、補助上下風向板が第１上壁部を延長した面より第２上壁部側に配置されるので、補助上下風向板の一部が第２上壁部に当接した状態で冷房運転が行われている場合において、補助上下風向板は送風ファンからの冷気の流れ方向に配置されない。したがって、送風ファンからの冷気が補助上下風向板に衝突することで風量が低下することを防止できる。
【００１１】
第３の発明にかかる空気調和機では、第１または第２の発明にかかる空気調和機において、冷房運転時間に基づいて決定されたタイミングで、前記第１状態から前記第２状態に変更することを特徴とする。
【００１２】
この空気調和機では、冷房運転が長時間継続されて、補助上下風向板の上面において結露して水滴が付くようになったときに、補助上下風向板の上面側を冷気が流れる状態に変更できる。
【００１３】
第４の発明にかかる空気調和機では、第１〜第３のいずれかの発明にかかる空気調和機において、前記制御手段は、吹出温度に基づいて決定されたタイミングで、前記第１状態から前記第２状態に変更することを特徴とする。
【００１４】
この空気調和機では、吹出温度が低く、補助上下風向板の上面において結露して水滴が付く運転状態において、補助上下風向板の上面側を冷気が流れる状態に変更できる。
【００１５】
第５の発明にかかる空気調和機では、第４の発明にかかる空気調和機において、前記空気流路に配置された室内熱交換器を備え、前記制御手段は、ファン回転数、室内熱交温度及び室内温度に基づいて決定されたタイミングで、前記第１状態から前記第２状態に変更することを特徴とする。
【００１６】
この空気調和機では、ファン回転数、室内熱交温度、室内温度に基づいて吹出温度を推定して、その吹出温度に基づいて補助上下風向板を制御できるので、吹出温度を検出する必要がない。
【発明の効果】
【００１７】
以上の説明に述べたように、本発明によれば、以下の効果が得られる。
【００１８】
第１の発明では、補助上下風向板の上面側（補助上下風向板と上壁部との間）を冷気がほとんど流れない状態で冷房運転が行われているときに、所定のタイミングで一時的に、補助上下風向板の上面側（補助上下風向板と上壁部との間）を冷気が流れる状態に変更されるので、補助上下風向板の上面において結露して水滴が付くことを防止できる。
【００１９】
第２の発明では、空気流路の上壁部が、前方に向かって下向きに傾斜した第１上壁部と、第１上壁部の前方において空気流路が広がるように配置された第２上壁部とを有する場合において、補助上下風向板の上面において結露して水滴が付くことを防止できる。また、補助上下風向板が第１上壁部を延長した面より第２上壁部側に配置されるので、補助上下風向板の一部が第２上壁部に当接した状態で冷房運転が行われている場合において、補助上下風向板は送風ファンからの冷気の流れ方向に配置されない。したがって、送風ファンからの冷気が補助上下風向板に衝突することで風量が低下することを防止できる。
【００２０】
第３の発明では、冷房運転が長時間継続されて、補助上下風向板の上面において結露して水滴が付くようになったときに、補助上下風向板の上面側を冷気が流れる状態に変更できる。
【００２１】
第４の発明では、吹出温度が低く、補助上下風向板の上面において結露して水滴が付く運転状態において、補助上下風向板の上面側を冷気が流れる状態に変更できる。
【００２２】
第５の発明では、ファン回転数、室内熱交温度、室内温度に基づいて吹出温度を推定して、その吹出温度に基づいて補助上下風向板を制御できるので、吹出温度を検出する必要がない。
【図面の簡単な説明】
【００２３】
【図１】本発明の実施形態に係る空気調和機の外観図である。
【図２】補助上下風向板の一部が上壁部に当接した状態で冷房運転が行われるときの空気調和機の断面図である。
【図３】補助上下風向板の構成を説明する図である。
【図４】補助上下風向板が上壁部に当接しない状態で冷房運転が行われるときの空気調和機の断面図である。
【図５】図１に示す空気調和機の機能ブロック図である。
【図６】図１に示す空気調和機のフローを示すフローチャートである。
【発明を実施するための形態】
【００２４】
以下、図面を参照しつつ本発明の実施形態に係る空気調和機について説明する。
【００２５】
［空気調和機の構成］
本発明の実施形態に係る空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁から突出する方向を「前方」と称し、その反対の方向を「後方」と称する。また、図１に示す左右方向を単に「左右方向」と称する。
【００２６】
［室内機１］
図２に示すように、室内機１は、ケーシング２と、ケーシング２内に収容された送風ファン３、室内熱交換器４、左右風向板５、上下風向板６、補助上下風向板７等を備えている。また、室内機１には、室内熱交換器４の温度（室内熱交温度）を検出する熱交温度センサ８と、室内温度を検出する室内温度センサ９が設けられている。
【００２７】
ケーシング２は、略直方体状のグリル１１と、グリル１１の前面を覆う前面パネル１２とを有する。グリル１１の上面には、左右方向に長い格子状の開口である吸込口１３が形成されており、グリル１１の下面には、左右方向に長い矩形状の開口である吹出口１４が形成されている。そして、空調運転時には、吸込口１３から吹出口１４に至る空気流路に配置された送風ファン３が駆動されることによって吸込口１３から吸い込まれた空気は、室内熱交換器４において加熱または冷却された後、吹出口１４から室内に吹き出される。
【００２８】
＜空気流路＞
吸込口１３から吹出口１４に至る空気流路のうち左右風向板５から吹出口１４に至る空気流路の上壁部１５は、図２に示すように、前方に向かって下向きに傾斜した第１上壁部１６と、第１上壁部１６の前方において空気流路が広がるように配置された第２上壁部１７によって形成されている。第２上壁部１７は、具体的には、前方に向かって略水平に延在しており、第１上壁部１６を延長した面Ｓに対しておよそ３０°上方に広がるように配置されている。また、左右風向板５から吹出口１４に至る空気流路の下壁部１８は、グリル１１によって形成されており、前方に向かって下向きに傾斜している。なお、第１上壁部１６を延長した面Ｓより第２上壁部１７側（上方）は、第１上壁部１６を延長した面Ｓより下壁部１８側（下方）に比べて、送風ファン３からの吹出空気の風量が少ない。
【００２９】
＜上下風向板６＞
上下風向板６は、図２に示すように、吹出口１４の近傍に配置され、支持部材１９によって回転軸１９ａの周りを回動可能に支持されている。この上下風向板６は、吹出口１４の長手方向（左右方向）に沿って延びており、上下方向について吹出口１４から吹き出される空気の風向を変更すると共に、吹出口１４の開閉を行う。
【００３０】
この上下風向板６は、図示しない駆動モータが駆動されることによって、回転軸１９ａを中心に上側構造当たり（全閉状態）から下側構造当たり（全開状態）までの範囲を回動できるようになっている。この上下風向板６は、図示しないリモコンの操作によって制御可能であって、所定の範囲（上限位置から下限位置までの範囲）において上下風向板６を往復可動させる「スイング動作」を行うことができる。また、リモコンの操作によって、上下風向板６を上限位置から下限位置までの範囲において所望の位置に固定することができる。
【００３１】
＜補助上下風向板７＞
補助上下風向板７は、図２に示すように、上下風向板６の上方において第２上壁部１７の近傍に配置され、支持部材２０によって回転軸２０ａの周りを回動可能に支持されている。この補助上下風向板７は、吹出口１４の長手方向（左右方向）に沿って延びており、上下風向板６と共に上下方向について吹出口１４から吹き出される空気の風向を変更する。なお、以下においては、補助上下風向板７の２つの面のうち下方側を表面７ａ（下面）、上方側を裏面７ｂ（上面）と称する。
【００３２】
補助上下風向板７は、図３（ａ）に示すように、矩形状の板状部材であって、その裏面７ｂには、３つの支持部材２０が配置されている。支持部材２０は、取付孔２１を有しており、第２上壁部１７に配置された図示しない支持軸に回転可能に取り付けられる。したがって、補助上下風向板７は、支持軸の中心軸である回転軸２０ａの周りを回転可能である。また、図３（ｂ）に示すように、補助上下風向板７の回転軸２０ａに垂直な断面において、補助上下風向板７の後端部７ｄが、補助上下風向板７の後端に近づくにつれて回転軸２０ａから離れる方向に傾斜している（図３（ｂ）では、補助上下風向板７の後端部７ｄが、後方に近づくにつれて下方に傾斜している）。なお、本実施形態において、補助上下風向板７とは、矩形状の板状部材を指し、支持部材２０や図示しない支持軸は、補助上下風向板７には含まれない。
【００３３】
この補助上下風向板７は、図示しない駆動モータが駆動されることによって、回転軸２０ａを中心に上側構造当たり（全閉状態）から下側構造当たり（全開状態）までの範囲を回動できるようになっている。なお、この補助上下風向板７は、リモコンの操作によって制御可能なものではなく、その配置位置は、空気調和機の運転状態などによって自動的に定められる。
【００３４】
この空気調和機では、冷房運転時において、図２に示すように、補助上下風向板７の一部（具体的には、先端部７ｃ）が第２上壁部１７に当接するように配置される。また、補助上下風向板７の全領域が第２上壁部１７を延長した面Ｓより第２上壁部１７側（上方）に配置される。したがって、第１上壁部１６に沿って流れる冷気は、図２中に矢印で示すように、補助上下風向板７にほとんど衝突することなく、補助上下風向板７の表面７ａ側を流れ、吹出口１４から吹き出される。一方、補助上下風向板７の先端部７ｃと第２上壁部１７との間には隙間がほとんどないので、補助上下風向板７の裏面７ｂ側（補助上下風向板７と第２上壁部１７との間）には、冷気がほとんど流れない。
【００３５】
［リモコン］
図示しないリモコンは、図１に示す室内機１および図示しない室外機と赤外線通信可能であって、室内機１及び室外機の制御に係る各種指令をユーザの操作に応じて送信する。このリモコンにより、ユーザは、上下風向板６の固定位置、上下風向板６のスイング動作、冷房運転、暖房運転、除湿運転などの各運転モード、設定温度などを選択できる。
【００３６】
［制御部１０］
制御部１０（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部１０の動作を制御する制御プログラムなどが格納されている。そして、この制御部１０は、図５に示すように、タイマ部２１を有し、送風ファン３、左右風向板５、上下風向板６、補助上下風向板７、熱交温度センサ８、室内温度センサ９と電気的に接続されている。
【００３７】
この制御部１０は、リモコンの操作などを受けて、上下風向板６の固定位置、上下風向板６のスイング動作、冷房運転、暖房運転、除湿運転などの各運転モードなどが設定された場合に、上下風向板６及び補助上下風向板７を所定の位置にそれぞれ配置したり、上下風向板６及び補助上下風向板７を上下方向に揺動させたりする。
【００３８】
＜第１状態から第２状態への変更＞
また、この制御部１０は、冷房運転時において、補助上下風向板７の一部が第２上壁部１７に当接した状態（第１状態）で運転しているときに、冷房運転時間及び吹出温度に基づいて決定されたタイミングで一時的に補助上下風向板７を下方に回動させて、補助上下風向板７が第２上壁部１７に当接しない状態（第２状態）に変更する。補助上下風向板７が第２上壁部１７に当接しない状態に変更されると、図４に示すように、補助上下風向板７と第２上壁部１７とに間隙が形成される。そのため、図４中に矢印で示すように、送風ファン３からの冷気が、補助上下風向板７の表面７ａ側と、裏面７ｂ側（即ち、補助上下風向板７と第２上壁部１７との間）の両方を流れる状態に変化する。
【００３９】
ここで、冷房運転時間及び吹出温度に基づいて決定されたタイミングとは、具体的には、冷房運転時において、補助上下風向板７の一部が第２上壁部１７に当接した状態となってから所定時間ｔ１（例えば、２時間）が経過し、かつ、吹出口１４から吹き出される冷気の吹出温度が所定温度以下となったときを意味する。冷房運転が長時間継続され、かつ吹出温度が低い状態であると、補助上下風向板７の表面７ａと裏面７ｂとの温度差が大きくなって、補助上下風向板７の裏面７ｂにおいて結露しやすい状態となる。そこで、補助上下風向板７の裏面７ｂにおいて結露して水滴が付く前に、第１上壁部１６に沿って流れる冷気が補助上下風向板７の表面７ａ側と裏面７ｂ側の両方を流れる状態に変更して、補助上下風向板７の裏面７ｂに水滴が付くことを防止している。
【００４０】
なお、この空気調和機では、吹出温度を検出する吹出温度センサが設けられておらず、吹出温度を直接検出することができないので、送風ファン３のファン回転数、熱交温度センサ８で検出された室内熱交温度、及び室内温度センサ９で検出された室内温度に基づいて吹出温度を推定することで、吹出温度が所定温度以下であるか否かを判断している。具体的には、ファン回転数が所定回転数以下であって、室内熱交温度が所定温度以下であって、かつ、室内温度が所定温度以下となった場合に、吹出温度が所定温度以下であると判断している。
【００４１】
また、図４に示すように、補助上下風向板７が第２上壁部１７に当接しない状態においても、補助上下風向板７の全領域が第２上壁部１７を延長した面Ｓより上方に配置される。したがって、補助上下風向板７が第２上壁部１７に当接しない状態であっても、補助上下風向板７は送風ファン３からの冷気の流れをほとんど遮らない。その結果、補助上下風向板７が第２上壁部１７に当接しない状態において、送風ファン３からの冷気が補助上下風向板７に衝突することで風量が低下することが抑制される。
【００４２】
＜第２状態から第１状態への変更＞
また、この制御部１０は、冷房運転時において、補助上下風向板７が第２上壁部１７に当接しない状態（第２状態）で運転しているときに、冷房運転時間に基づいて決定されたタイミングで補助上下風向板７を上方に回動させて、図２に示すように、補助上下風向板７の一部が第２上壁部１７に当接する状態（第１状態）に再度変更する。
【００４３】
具体的には、補助上下風向板７が第２上壁部１７に当接しない状態に変更されてから所定時間ｔ２（例えば、１時間）が経過したときに、補助上下風向板７が第２上壁部１７に当接する状態に変更する。補助上下風向板７が第２上壁部１７に当接しない状態に変更されてから、冷房運転が長時間継続されると、送風ファン３からの冷気が補助上下風向板７の表面７ａと裏面７ｂの両方を流れることで、表面７ａと裏面７ｂとの温度差が小さくなって、補助上下風向板７の裏面７ｂにおいて結露しにくい状態となる。そこで、再度補助上下風向板７の一部が第２上壁部１７に当接する状態に変更して、送風ファン３からの冷気の風量を多くしている。
【００４４】
なお、この空気調和機では、冷房運転が長時間継続して行われると、補助上下風向板７の一部が第２上壁部１７に当接する状態（第１状態）と、補助上下風向板７が第２上壁部１７に当接しない状態（第２状態）とを繰り返す。即ち、補助上下風向板７のスイング動作が行われる。しかし、この「スイング動作」は、補助上下風向板７の裏面７ｂにおいて結露して水滴が付く運転状態である第１状態と、補助上下風向板７の裏面７ｂにおいて結露しにくい状態に戻る第２状態とを繰り返すものであるため、通常のスイング動作（静止時間がほとんどなく、補助上下風向板７の裏面７ｂにおいて結露して水滴が付く課題が生じないもの）とはその性質が異なる。
【００４５】
タイマ部２１は、補助上下風向板７の一部が第２上壁部１７に当接した状態となってから所定時間ｔ１が経過したか否かを判断する際の所定時間ｔ１、及び補助上下風向板７が第２上壁部１７に当接しない状態に変更されてから所定時間ｔ２が経過したか否かを判断する際の所定時間ｔ２を計測するためのタイマを駆動制御する。
【００４６】
［フロー］
次に、図６を参照して本実施形態に係る空気調和機の動作（フロー）について説明する。スタート時においては、冷房運転中であり、かつ補助上下風向板７の一部が第２上壁部１７に当接した状態（第１状態）であるものとする。
【００４７】
まず、冷房運転中であるか否かを判断する（Ｓ１）。冷房運転中でない場合（Ｓ１：Ｎｏ）、ステップＳ１を繰り返す。一方、冷房運転中である場合（Ｓ１：Ｙｅｓ）、補助上下風向板７の一部が第２上壁部１７に当接した状態（第１状態）であるか否かを判断する（Ｓ２）。補助上下風向板７の一部が第２上壁部１７に当接した状態である場合（Ｓ２：Ｙｅｓ）、補助上下風向板７の一部が第２上壁部１７に当接した状態となってから所定時間ｔ１が経過したか否かを判断する（Ｓ３）。
【００４８】
そして、所定時間ｔ１が経過した場合（Ｓ３：Ｙｅｓ）、吹出口１４から吹き出される冷気の吹出温度が所定温度以下であるか否かを判断する（Ｓ４）。なお、この空気調和機では、上記のとおり、吹出温度を直接検出できないので、ファン回転数、室内熱交温度、及び室内温度に基づいて吹出温度を推定することで、吹出温度が所定温度以下であるか否かを判断している。具体的には、ステップＳ４では、ファン回転数が所定回転数以下であって、室内熱交温度が所定温度以下であって、かつ、室内温度が所定温度以下となったか否かを判断している。
【００４９】
ステップＳ４において、吹出温度が所定温度以下である場合（Ｓ４：Ｙｅｓ）、制御部１０は、一時的に補助上下風向板７を下方に回動させて、補助上下風向板７が第２上壁部１７に当接しない状態（第２状態）に変更する（Ｓ５）。一方、所定時間ｔ１が経過していない場合や（Ｓ３：Ｎｏ）、吹出温度が所定温度より高い場合（Ｓ４：Ｎｏ）、ステップＳ１に戻る。
【００５０】
また、ステップＳ２において、補助上下風向板７が第２上壁部１７に当接しない状態（第２状態）である場合（Ｓ２：Ｎｏ）、補助上下風向板７が第２上壁部１７に当接しない状態となってから所定時間ｔ２が経過したか否かを判断する（Ｓ６）。所定時間ｔ２が経過した場合（Ｓ６：Ｙｅｓ）、制御部１０は、補助上下風向板７を上方に回動させて、補助上下風向板７が第２上壁部１７に当接する状態（第１状態）に変更する（Ｓ７）。一方、所定時間ｔ２が経過していない場合（Ｓ６：Ｎｏ）、ステップＳ１に戻る。
【００５１】
［本実施形態の空気調和機の特徴］
本実施形態の空気調和機には、以下の特徴がある。
【００５２】
この空気調和機では、図２に示すように、補助上下風向板７の一部が第２上壁部１７に当接した状態（第１状態）、すなわち補助上下風向板７の裏面７ｂ側（補助上下風向板７と第２上壁部１７との間）を冷気がほとんど流れない状態で冷房運転が行われているときに、図４に示すように、一時的に補助上下風向板７が第２上壁部１７に当接しない状態（第２状態）、すなわち補助上下風向板７の裏面７ｂ側（補助上下風向板７と第２上壁部１７との間）を冷気が流れる状態に変更されるので、補助上下風向板７の裏面７ｂ（上面）において結露して水滴が付くことを防止できる。
【００５３】
また、この空気調和機では、冷房運転時間及び吹出温度に基づいて決定されたタイミングで、補助上下風向板７の裏面７ｂ側（補助上下風向板７と第２上壁部１７との間）を冷気が流れる状態に変更されるので、冷房運転が長時間継続され、かつ吹出温度が低い状態、すなわち補助上下風向板７の裏面７ｂにおいて結露して水滴が付く運転状態において、補助上下風向板７の裏面７ｂ側を冷気が流れる状態に変更できる。
【００５４】
また、この空気調和機では、空気流路の上壁部１５が、前方に向かって下向きに傾斜した第１上壁部１６と、第１上壁部１６の前方において空気流路が広がるように配置された第２上壁部１７とを有する場合において、補助上下風向板７の裏面７ｂ（上面）において結露して水滴が付くことを防止できる。また、補助上下風向板７が第１上壁部１６を延長した面Ｓより第２上壁部１７側に配置されるので、補助上下風向板７の一部が第２上壁部１７に当接した状態で冷房運転が行われている場合において、補助上下風向板７は送風ファン３からの冷気の流れ方向に配置されない。したがって、送風ファン３からの冷気が補助上下風向板７に衝突することで風量が低下することを防止できる。
【００５５】
また、この空気調和機では、ファン回転数、室内熱交温度、及び室内温度に基づいて吹出温度を推定して、推定した吹出温度に基づいて補助上下風向板７を制御することができるので、吹出温度センサ等を設けるなどして、吹出温度を直接検出する必要がない。
【００５６】
また、この空気調和機では、冷房運転時において、補助上下風向板７が第２上壁部１７に当接しない状態（第２状態）で運転しているときに、冷房運転時間に基づいて決定されたタイミングで、再度補助上下風向板７が第２上壁部１７に当接する状態（第１状態）に変更される。したがって、補助上下風向板７の裏面７ｂ側を冷気が流れる状態に変更されることにより、補助上下風向板７の裏面７ｂにおいて結露しにくい状態となったときに、補助上下風向板７の裏面７ｂ側を冷気が流れない状態に変更できるので、補助上下風向板７の裏面７ｂにおいて結露しにくい状態において、送風ファン３からの冷気が補助上下風向板７に衝突することで風量が低下することを防止できる。
【００５７】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５８】
［変形例］
本実施形態の空気調和機では、図２に示すように、補助上下風向板７が第２上壁部１７の近傍に配置されているが、補助上下風向板７は、第１上壁部１６の近傍に配置されていてもよい。
【００５９】
また、本実施形態の空気調和機では、図２に示すように、空気流路の上壁部１５が、前方に向かって下向きに傾斜した第１上壁部１６と、第１上壁部１６の前方において空気流路が広がるように配置された第２上壁部１７とを有しているが、空気流路の上壁部１５の構成は上記に限られない。例えば、空気流路の上壁部１５が第１上壁部１６のみから構成されていてもよい。
【００６０】
また、本実施形態の空気調和機では、図２に示すように、補助上下風向板７の先端部７ｃが、空気流路の上壁部１５に当接しているが、上壁部１５に当接する部分は先端部７ｃに限られない。例えば、補助上下風向板７の裏面７ｂ略全体が上壁部１５に当接していてもよい。そうすることで、補助上下風向板７が上壁部１５に対してより平行になり、送風ファン３からの冷気が補助上下風向板７に衝突して風量が低下することをさらに防止できる。
【００６１】
また、本実施形態の空気調和機では、補助上下風向板７の裏面７ｂ側を冷気が流れる状態に変更するタイミングを、冷房運転時間及び吹出温度に基づいて決定したが、冷房運転時間及び吹出温度のどちらか一方に基づいて決定してもよいし、その他の所定の方法（例えば、リモコン操作）に基づいて決定してもよい。
【００６２】
また、本実施形態の空気調和機では、冷房運転時間及び吹出温度に基づいて決定されたタイミングとは、具体的には、補助上下風向板７の一部が第２上壁部１７に当接した状態となってから所定時間ｔ１が経過し、かつ吹出温度が所定温度以下となったときを意味するが、冷房運転時間及び吹出温度に基づいて決定されたタイミングとは、上記に限られるものではない。例えば、上記のタイミングとは、冷房運転時において、吹出温度が所定温度以下である状態が所定時間継続したときであってもよい。
【００６３】
また、本実施形態の空気調和機では、吹出温度を直接検出できないので、ファン回転数、室内熱交温度、及び室内温度に基づいて吹出温度を推定することで、吹出温度が所定温度以下であるか否かを判断したが、吹出温度センサを設けて吹出温度を直接検出してもよい。
【００６４】
また、本実施形態の空気調和機では、補助上下風向板７の裏面７ｂ側を冷気が流れる状態に変更された後で、再度補助上下風向板７の裏面７ｂ側を冷気が流れない状態に変更するタイミングを、冷房運転時間に基づいて決定したが、吹出温度に基づいて決定してもよいし、冷房運転時間及び吹出温度に基づいて決定してもよいし、その他の所定の方法（例えば、リモコン操作）に基づいて決定してもよい。
【００６５】
また、本実施形態の空気調和機では、図４に示すように、補助上下風向板７が第２上壁部１７に当接しない状態（第２状態）において、補助上下風向板７の全領域が第２上壁部１７を延長した面Ｓより上方に配置されるが、補助上下風向板７が第２上壁部１７を延長した面Ｓ上又は面Ｓより下方に配置されてもよい。
【００６６】
また、本実施形態の空気調和機では、冷房運転時において、補助上下風向板７が上壁部１５に当接しない状態（第２状態）に変更された場合を除いて、補助上下風向板７の一部が上壁部１５に当接するよう配置されることとした。しかし、この空気調和機は、補助上下風向板７を上壁部１５に当接しない所定の位置に固定する運転モードを備えていてもよいし、また、補助上下風向板７を上下方向に揺動させる通常のスイング動作を行う運転モードを備えていてもよい。そして、これらの運転モードが実行されている場合には、図６に示す本実施形態の動作（フロー）が実行されないようにしてもよい。
【００６７】
また、本実施形態の空気調和機では、左右風向板５を備えているが、左右風向板５はなくてもよい。
【００６８】
また、本実施形態の空気調和機では、補助上下風向板７は、リモコン操作によって制御不可としたが、リモコン操作によって制御可能であってもよい。
【００６９】
また、空気調和機の除湿運転時に、冷房運転時と同様の動作が行われるようにしてもよい。したがって、本発明における「冷房運転時」には、「除湿運転時」が含まれる。
【産業上の利用可能性】
【００７０】
本発明を利用すれば、冷房運転時において、補助上下風向板の上面において結露して水滴が付くことを防止できる。
【符号の説明】
【００７１】
１  室内機
３  送風ファン
４  室内熱交換器
６  上下風向板
７  補助上下風向板
１３  吸込口
１４  吹出口
１５  上壁部
１６  第１上壁部
１７  第２上壁部
【図１】
2014122736.tif 000003
【図２】
2014122736.tif 000004
【図３】
2014122736.tif 000005
【図４】
2014122736.tif 000006
【図５】
2014122736.tif 000007
【図６】
2014122736.tif 000008